(57)【要約】【課題】ジェリー充填率が９０％以上のルースチューブ心線を連続的に製造することを課題とする。【解決手段】光ファイバ集合ダイス７を通して導入した複数本の光ファイバ素線８の周囲にジェリーを供給した後、前記光ファイバ素線８及び前記ジェリーを覆うチューブを押出し成形するルースチューブ心線製造方法であって、前記複数本の光ファイバ素線８を前記光ファイバ集合ダイス７に通過させる際に複数のグループに分割し、各グループを離間せしめた状態でジェリーを供給することを特徴とするルースチューブ心線製造方法である。【選択図】      図２
2006030612.tif 000002
【特許請求の範囲】
【請求項１】
光ファイバ集合ダイスを通して導入した複数本の光ファイバ素線の周囲にジェリーを供給した後、前記光ファイバ素線及び前記ジェリーを覆うチューブを押出し成形するルースチューブ心線製造方法であって、前記複数本の光ファイバ素線を前記光ファイバ集合ダイスに通過させる際に複数のグループに分割し、各グループを離間せしめた状態でジェリーを供給することを特徴とするルースチューブ心線製造方法。
【請求項２】
光ファイバ集合ダイスと、該光ファイバ集合ダイスを通して導入された走行する複数本の光ファイバ素線の周囲にジェリーを供給するジェリー供給装置と、前記光ファイバ素線及び前記ジェリーを覆うチューブを押出し成形する押出機とを備えたルースチューブ心線製造装置であって、前記光ファイバ集合ダイスが複数本の光ファイバ素線を複数グループに分割して挿通させる複数の穴を有すると共に、その複数の穴が光ファイバ集合ダイスの中心から同心円状に配置されていることを特徴とするルースチューブ心線製造装置。
【発明の詳細な説明】
【技術分野】
【０００１】
本発明は、ルースチューブ心線製造方法及び製造装置に係り、特にジェリー充填率増加を可能にした製造方法及び製造装置に関するものである。
【背景技術】
【０００２】
ルースチューブ心線は、熱可塑性樹脂チューブとそのチューブ内にルーズに格納された複数本の光ファイバ素線及びジェリーから構成される。このルースチューブ心線は、図４に示す光ファイバ集合ダイス７のファイバ通し穴１０にて複数本の光ファイバ素線８を集合し、集合された光ファイバ素線８にジェリーを充填しながら熱可塑性樹脂チューブを連続的に押出しすることにより製造される。
【特許文献１】特開２００１−２２８３７５号公報
【発明の開示】
【発明が解決しようとする課題】
【０００３】
従来のルースチューブ製造の問題点は、複数本の光ファイバ素線を光ファイバ集合ダイスの１個のファイバ通し穴にて集合し、その後ジェリーを充填していたことにある。すなわち、この方法では、光ファイバ素線の本数が８本以上の場合になると、光ファイバ素線間に十分ジェリーが入り込まず、空隙が発生してしまうため、ジェリーの充填率が低下してしまう。このジェリー充填率低下は、海底ケーブル用ルースチューブ心線として利用する場合、ルースチューブ破断時にそのチューブ内を長手方向に水が走水することを引き起こす。
【０００４】
そこで、本発明は、ジェリー充填率９０％以上のルースチューブ心線を全長に亘り安定して製造することを目的とするものである。
【課題を解決するための手段】
【０００５】
上記目的を達成するために、本発明のルースチューブ心線製造方法は、光ファイバ集合ダイスを通して導入した複数本の光ファイバ素線の周囲にジェリーを供給した後、前記光ファイバ素線及び前記ジェリーを覆うチューブを押出し成形するルースチューブ心線製造方法であって、前記複数本の光ファイバ素線を前記光ファイバ集合ダイスに通過させる際に複数のグループに分割し、各グループを離間せしめた状態でジェリーを供給することを特徴とするものである。
【０００６】
また、本発明のルースチューブ心線製造装置は、光ファイバ集合ダイスと、該光ファイバ集合ダイスを通して導入された走行する複数本の光ファイバ素線の周囲にジェリーを供給するジェリー供給装置と、前記光ファイバ素線及び前記ジェリーを覆うチューブを押出し成形する押出機とを備えたルースチューブ心線製造装置であって、前記光ファイバ集合ダイスが複数本の光ファイバ素線を複数グループに分割して挿通させる複数の穴を有すると共に、その複数の穴が光ファイバ集合ダイスの中心から同心円状に配置されていることを特徴とするものである。
【発明の効果】
【０００７】
本発明によれば、ファイバ通し穴を光ファイバ集合ダイスの中心から同心円状に配置することで各光ファイバ素線の長さをそろえて、ジェリーを供給することが可能となり、全長に亘り９０％以上のジェリー充填率のルースチューブ心線を安定して得ることができる。
【発明を実施するための最良の形態】
【０００８】
以下、本発明の一実施の形態を添付図面に基づいて説明する。なお、図４と同一の部分については、同一符号を用いることとする。
【０００９】
図１は本発明のルースチューブ製造の一例を示す概略図である。このようにルースチューブ心線１は、ボビン９から複数本のファイバ素線８を光ファイバ集合ダイス７に導入し、走行する光ファイバ素線８の周囲にジェリー注入口６からジェリーを供給した後、前記光ファイバ素線８及び前記ジェリーを覆うチューブを樹脂槽２から押出しヘッド４を経て押出機３によりルースチューブ心線１を製造する。
【実施例１】
【００１０】
図２に本発明の集合ダイスの拡大断面図を示す。このように本発明は、複数のファイバ通し穴１０が光ファイバ集合ダイス７の中心から同心円状に配置されたものである。本発明は、各光ファイバ素線８を上記光ファイバ集合ダイス７の中心から同心円状に配置された上記複数のファイバ通し穴１０にて集合し、その後各穴を通る光ファイバ素線８間にジェリーを供給することにより、光ファイバ素線８間に空隙の発生することなくジェリーを充填することができる。
【００１１】
また、光ファイバ素線８を１６本備えたルースチューブ心線１の場合、各光ファイバ素線８を１６個のファイバ通し穴１０の各穴に１本ずつ通して集合し、その後ジェリーを充填することで、ジェリーの充填率９０％以上で充填することができた。
【実施例２】
【００１２】
図３に光ファイバ集合ダイスの変形例の拡大断面図を示す。上記実施例１は光ファイバ素線８を1本ずつ光ファイバ集合ダイス７に挿通するものであり、本実施例では光ファイバ素線８を複数本のグループに分割し光ファイバ集合ダイス７に挿通するものであり、図３に示すように光ファイバ集合ダイス７の中心から同心円状に配置されたファイバ通し穴１０の各穴にそれぞれ２〜４本の光ファイバ素線８を通して集合し、その後ジェリーを充填することもできる。
【産業上の利用可能性】
【００１３】
本発明は、海底ケーブル用ルースチューブ心線の製造に利用することができる。
【図面の簡単な説明】
【００１４】
【図１】本発明によるルースチューブ製造の一例を示す概略図である。
【図２】本発明の光ファイバ集合ダイスの拡大断面図である。
【図３】本発明の光ファイバ集合ダイスの変形例の拡大断面図である。
【図４】従来の光ファイバ集合ダイスの拡大断面図である。
【符号の説明】
【００１５】
１  ルースチューブ心線
２  樹脂槽
３  押出機
４  押出ヘッド
５  ジェリー注入ガイド
６  ジェリー注入口
７  光ファイバ集合ダイス
８  光ファイバ素線
９  ボビン
１０  ファイバ通し穴
【図１】
2006030612.tif 000003
【図２】
2006030612.tif 000004
【図３】
2006030612.tif 000005
【図４】
2006030612.tif 000006